(57)【要約】【課題】  硫黄による影響を受けにくい摺動接点を備えた液面検出装置を提供するものである。【解決手段】  液面に追従して動作するフロートと、このフロートの動きに連動する摺動接点１１と、この摺動接点１１が摺動する導体パターン４を施した絶縁基板６を有する液面検出装置１において、摺動接点１１がパラジウムとルテニウムとの合金からなり、パラジウムとルテニウムの重量比がパラジウムが９０重量％以上で、ルテニウムを１０重量％以下としたものである。【選択図】  図１
2007139679.tif 000002
【特許請求の範囲】
【請求項１】
液面に追従して動作するフロートと、このフロートの動きに連動する摺動接点と、この摺動接点が摺動する導体パターンを施した絶縁基板を有する液面検出装置において、前記摺動接点がパラジウムのみからなることを特徴とする液面検出装置。
【請求項２】
液面に追従して動作するフロートと、このフロートの動きに連動する摺動接点と、この摺動接点が摺動する導体パターンを施した絶縁基板を有する液面検出装置において、前記摺動接点がパラジウムとルテニウムとの合金からなることを特徴とする液面検出装置。
【請求項３】
前記パラジウムとルテニウムの重量比がパラジウムが９０重量％以上で、ルテニウムを１０重量％以下としたことを特徴とする請求項２に記載の液面検出装置。
【請求項４】
前記パラジウムとルテニウムの重量比がパラジウムが９０重量％で、ルテニウムを１０重量％としたことを特徴とする請求項２に記載の液面検出装置。
【発明の詳細な説明】
【技術分野】
【０００１】
本発明は、車両等の燃料タンク内の液量を測定する液面検出装置に関し、特に絶縁基板の導体パターン上を摺動する摺動接点に特徴を有する液面検出装置に関する。
【背景技術】
【０００２】
従来、液面検出装置１は燃料タンク２内に収納され、燃料タンク２の開口部に取り付けられる取付板３に設けられている。この取付板３の下側には、導体パターン４と抵抗体５とを印刷形成したセラミックよりなる絶縁基板６が取り付けられている。さらに液面検出装置１には導体パターン４上を摺動する摺動接点７を備えた接点板８とが設けられている。この接点板８は、燃料の液面に応じて上下動するフロート９からアーム１０を介して絶縁基板６上を前記液面に応じて可動するように支持固定されている。従って、液面の上下動がフロート９とアーム１０とを介して接点板８に伝達され、摺動接点７が導体パターン４上を摺動することにより絶縁基板６上の導体パターン４と摺動接点７とが接触し、その接触した導体パターン４の位置により抵抗値が変化し、これによって燃料タンク２内の液量を検出し、図示しない表示器で表示していた。
【特許文献１】特開２００３−１９４６１８号公報
【特許文献２】特開２００３−２８７４５５号公報
【発明の開示】
【発明が解決しようとする課題】
【０００３】
ところが摺動接点７として使用されている材質は、銅ニッケル亜鉛（Ｃｕ、Ｎｉ、Ｚｎ）合金（洋白若しくは洋銀）や、銀ニッケルの合金などがあるが、燃料に含まれる硫黄による影響で硫化するなどの問題点があった。
【０００４】
そこで本発明は前記問題点に着目し、硫黄による影響を受けにくい摺動接点を備えた液面検出装置を提供するものである。
【課題を解決するための手段】
【０００５】
本発明は、前記課題を解決するため、液面に追従して動作するフロートと、このフロートの動きに連動する摺動接点と、この摺動接点が摺動する導体パターンを施した絶縁基板を有する液面検出装置において、前記摺動接点がパラジウムのみからなるものである。
【０００６】
また、液面に追従して動作するフロートと、このフロートの動きに連動する摺動接点と、この摺動接点が摺動する導体パターンを施した絶縁基板を有する液面検出装置において、前記摺動接点がパラジウムとルテニウムとの合金からなるものである。
【０００７】
また、前記パラジウムとルテニウムの重量比がパラジウムが９０重量％以上で、ルテニウムを１０重量％以下としたものである。
【０００８】
また、前記パラジウムとルテニウムの重量比がパラジウムが９０重量％で、ルテニウムを１０重量％としたものである。
【発明の効果】
【０００９】
本発明は、硫黄による影響を受けにくい摺動接点を備えた液面検出装置を提供することができる。
【発明を実施するための最良の形態】
【００１０】
本発明は、液面に追従して動作するフロートと、このフロートの動きに連動する摺動接点１１と、この摺動接点１１が摺動する導体パターン４を施した絶縁基板６を有する液面検出装置１において、摺動接点１１がパラジウムのみからなるものである。このように構成したことによって、硫黄による影響を受けにくい摺動接点１１を備えた液面検出装置を提供することができる。
【００１１】
また、液面に追従して動作するフロートと、このフロートの動きに連動する摺動接点１１と、この摺動接点１１が摺動する導体パターン４を施した絶縁基板６を有する液面検出装置１において、摺動接点１１がパラジウムとルテニウムとの合金からなるものである。このように構成したことによって、硫黄による影響を受けにくい摺動接点１１を備えた液面検出装置を提供することができる。
【００１２】
また、前記パラジウムとルテニウムの重量比がパラジウムが９０重量％以上で、ルテニウムを１０重量％以下としたものである。このように構成したことによって、硫黄による影響を受けにくい摺動接点を備えた液面検出装置を安価に提供することができる。
【００１３】
また、前記パラジウムとルテニウムの重量比がパラジウムが９０重量％で、ルテニウムを１０重量％としたものである。このように構成したことによって、硫黄による影響を受けにくい摺動接点を備えた液面検出装置を安価に提供することができる。
【実施例１】
【００１４】
以下、本発明について図１，２に基づき説明するが、前記従来例と同一個所には同一符号を付してその詳細な説明は省く。
【００１５】
図１は本発明の液面検出装置の要部正面図、図２は同発明の液面検出装置の要部断面図である。
【００１６】
図１，２で示すように、本発明の液面検出装置１は、セラミックよりなる絶縁基板６上に適宜間隔をおいて、複数列の導体パターン４を扇形に例えば印刷、乾燥、焼成の各工程を経て形成し、かつ導体パターン４の一部を抵抗体５が複数列に渡って例えば、導体パターンと同様に、印刷、乾燥、焼成の各工程を経て形成してある。フロート９と連動する接点板８には、導体パターン４上を摺動する摺動接点１１が加締めなどの手段によって固定されている。なお、摺動接点１１の接点板８への固定は、加締めに限定されるものではなく、溶接などの手段を用いて固定してもよい。また、導体パターン４上には、酸化ルテニウムなどからなる保護層を形成し、導体パターンの硫化を防止する構造を採用してもよい。
【００１７】
この摺動接点１１の材質は、パラジウムとルテニウムとの合金である。本実施例においては、パラジウムとルテニウムの重量比は、パラジウム（Ｐｄ）が９０重量％で、ルテニウム（Ｒｕ）を１０重量％であり、その公差は、１重量％前後である。また実際は、パラジウムとルテニウム以外に微量の不純物が混入するが、本実施例の作用効果を妨げるほどではない。パラジウムとルテニウムはともに貴金属で、硫黄による影響を受けにくい元素であるため、これらの金属からなる摺動接点１１は、硫黄による影響を受けにくくなり、ひいては、硫黄による影響を受けにくい液面検出装置を提供することができる。
【００１８】
また、パラジウムとルテニウムとの重量比を、パラジウム（Ｐｄ）が９０重量％、ルテニウム（Ｒｕ）を１０重量％としたことで、パラジウムに対して、安価なルテニウムを配合することで、摺動接点１１のコストの抑えることが可能となる。また、パラジウムにルテニウムを組み合わせることで、硬度が増して、耐摩耗性が向上する。また、ルテニウムを１０重量％とすることで、摺動接点を加工する上で加工が可能な硬度とすることができる。なお、パラジウムとルテニウムとの重量比は、パラジウムが９０重量％以上で、ルテニウムを１０重量％以下の範囲で設定可能であり、また、高い硬度が必要ではない場合では、例えば、摺動接点はパラジウムのみの１００重量％としてもよい。
【図面の簡単な説明】
【００１９】
【図１】本発明の液面検出装置の要部正面図。
【図２】同発明の液面検出装置の要部断面図。
【図３】従来の液面検出装置を燃料タンクに取り付けた図。
【符号の説明】
【００２０】
１  液面検出装置
２  燃料タンク
３  取付板
４  導体パターン
５  抵抗体
６  絶縁基板
７，１１  摺動接点
８  接点板
９  フロート
１０  アーム
【図１】
2007139679.tif 000003
【図２】
2007139679.tif 000004
【図３】
2007139679.tif 000005